(57)【特許請求の範囲】
【請求項１】
熱媒の熱を用いて温水を蒸気化するスチームサウナ装置であって、
前記熱媒を加熱する第１の熱源機と、
上水を温水に加熱する第２の熱源機と、
前記第１の熱源機で加熱された前記熱媒を循環路により循環させ、前記第２の熱源機から管路を通じて供給される前記温水を前記熱媒との熱交換により加熱し、前記温水を蒸気化する第１の熱交換手段と、
前記管路に設置されて前記温水を前記熱媒との熱交換により加熱する第２の熱交換手段と、
前記第１の熱交換器を通過した前記温水を溜める排水溜めと、
を備えたことを特徴とするスチームサウナ装置。
【請求項２】
熱媒の熱を用いて温水を蒸気化するスチームサウナ装置であって、
前記熱媒を加熱する第１の熱源機と、
上水を温水に加熱する第２の熱源機と、
前記第１の熱源機で加熱された前記熱媒を循環路により循環させ、前記第２の熱源機から管路を通じて供給される前記温水を前記熱媒との熱交換により加熱し、前記温水を蒸気化する第１の熱交換手段と、
前記第１の熱交換器を通過した前記温水を溜める排水溜めと、
前記排水溜めに設置されて前記温水を前記熱媒との熱交換により加熱する第３の熱交換手段と、
前記排水溜めに溜められた前記温水を前記第１の熱交換手段の外面部に供給する管路に設置され、前記排水溜めの前記温水を前記管路に循環させる第１のポンプと、
前記排水溜めの前記温水のレベルを検出するレベルセンサと、
このレベルセンサの検出レベルに応じて前記ポンプの運転を制御する制御手段と、
を備えたことを特徴とするスチームサウナ装置。
【請求項３】
請求項２のスチームサウナ装置において、
前記管路に設置されて前記温水を前記熱媒との熱交換により加熱する熱交換手段を備えたことを特徴とするスチームサウナ装置。
【請求項４】
熱媒の熱を用いて温水を蒸気化するスチームサウナ装置であって、
前記熱媒を加熱する第１の熱源機と、
上水を温水に加熱する第２の熱源機と、
前記第２の熱源機で加熱した温水を溜めるタンクと、
前記第１の熱源機で加熱された前記熱媒を循環路により循環させ、前記タンクから管路を通じて供給される温水を前記熱媒との熱交換により加熱し、前記温水を蒸気化する第１の熱交換手段と、
前記タンクに溜められた前記温水を前記第１の熱交換手段の外面部に供給する管路に設置され、前記タンクの前記温水を管路に循環させる第２のポンプと、
前記タンクに設置されて前記温水を前記熱媒との熱交換により加熱する第４の熱交換手段と、
を備えたことを特徴とするスチームサウナ装置。
【請求項５】
請求項４のスチームサウナ装置において、
前記タンクに前記第１の熱交換手段を経て落下する温水を溜めることを特徴とするスチームサウナ装置。
【請求項６】
請求項１、２又は４に記載のスチームサウナ装置において、
前記第１の熱交換手段を負圧空間に設置したことを特徴とするスチームサウナ装置。
【請求項７】
請求項１、２又は４に記載のスチームサウナ装置において、
前記第１の熱交換手段に供給される前記温水を超音波によって霧化する超音波振動手段を備えたことを特徴とするスチームサウナ装置。
【発明の詳細な説明】
【０００１】
【発明の属する技術分野】
本発明は、家庭用浴室等に設置されて蒸気を発生するスチームサウナ装置に関する。
【０００２】
【従来の技術】
家庭用浴室等で蒸気を発生させるスチームサウナ装置は、例えば、図１２に示すように、床暖房等の熱媒としての８０℃程度の高温水ＨＷを発生する床暖房用給湯器１００から高温水ＨＷを熱交換器１０２に循環させて熱交換器１０２を加熱し、この熱交換器１０２のフィンに一般給湯用給湯器１０４から温水ＬＷを供給する。その温水ＬＷは８０℃程度に加熱された熱交換器１０２によって蒸気Ｓに変換されるが、熱交換器１０２の背面側から前面側に図示しないファンを以て空気Ａが送り込まれており、その蒸気Ｓは浴室内に吹き出させることができる。そして、蒸気化しない温水ＬＷは熱交換器１０２の下方に設置した排水溜め１１０で受け、外部に排水させる。この種のスチームサウナ装置には例えば、特許第２７７３０１３号「スチームサウナ装置」等がある。
【０００３】
【発明が解決しようとする課題】
ところで、一般給湯用給湯器１０４は上水Ｗを加熱して給湯しており、その最高給湯温度は６０℃程度であるが、通常は４２℃程度の温水を給湯するので、このような温度の低い温水ＬＷを熱交換器１０２に供給しても、その温水の多くは蒸気化されることなく排水溜め１１０側に排水されることとなり、無駄となる。
【０００４】
また、一般給湯用給湯器１０４では、温水とするためには３リットル程度以上の給湯の継続が必要となるが、このような昇温のための給湯は無駄である。
【０００５】
また、蒸気化効率を高めるには、温水温度を１００℃近くまでに高くすればよいが、一般給湯用給湯器１０４の温水温度を６０℃以上に上昇させることは安全性に問題がある。
【０００６】
そこで、本発明は、排水量の低減とともに、蒸気化効率を高めたスチームサウナ装置を提供することを課題とする。
【０００７】
【課題を解決するための手段】
上記課題を解決した手段としての本発明を実施の形態に用いた符号を付して列挙すれば次の通りである。
【０００８】
請求項１に係る本発明のスチームサウナ装置は、熱媒の熱を用いて温水を蒸気化するスチームサウナ装置であって、前記熱媒を加熱する第１の熱源機と、上水を温水に加熱する第２の熱源機と、前記第１の熱源機で加熱された前記熱媒を循環路により循環させ、前記第２の熱源機から管路を通じて供給される前記温水を前記熱媒との熱交換により加熱し、前記温水を蒸気化する第１の熱交換手段と、前記管路に設置されて前記温水を前記熱媒との熱交換により加熱する第２の熱交換手段と、前記第１の熱交換器を通過した前記温水を溜める排水溜めとを備えたことを特徴とする。この場合、温水は、第２の熱源機及び第２の熱交換手段で加熱した後、第１の熱交換手段に供給するので、水道水等の低温度の上水、給湯器等で加熱された温水の何れでもよい。
【０００９】
請求項２に係る本発明のスチームサウナ装置は、熱媒の熱を用いて温水を蒸気化するスチームサウナ装置であって、前記熱媒を加熱する第１の熱源機と、上水を温水に加熱する第２の熱源機と、前記第１の熱源機で加熱された前記熱媒を循環路により循環させ、前記第２の熱源機から管路を通じて供給される前記温水を前記熱媒との熱交換により加熱し、前記温水を蒸気化する第１の熱交換手段と、前記第１の熱交換器を通過した前記温水を溜める排水溜めと、前記排水溜めに設置されて前記温水を前記熱媒との熱交換により加熱する第３の熱交換手段と、前記排水溜めに溜められた前記温水を前記第１の熱交換手段の外面部に供給する管路に設置され、前記排水溜めの前記温水を前記管路に循環させる第１のポンプと、前記排水溜めの前記温水のレベルを検出するレベルセンサと、このレベルセンサの検出レベルに応じて前記ポンプの運転を制御する制御手段とを備えたことを特徴とする。従って、蒸気化されないで第１の熱交換手段を通過して排水溜めに溜められる水は、第３の熱交換手段によって加熱された後、第１の熱交換手段に供給するので、蒸気化の促進とともに、排水の無駄を削減することができる。
【００１１】
また、請求項１又は請求項２に係る本発明のスチームサウナ装置のように、熱媒によって温水を加熱すれば、第２の熱交換手段側に循環する熱媒によって加熱されており、その加熱温度は熱媒と同程度に高温度になっていることから、蒸気化効率が高められ、蒸気化されない温水の排水量を低減することができる。
【００１３】
また、排水溜めに溜められた温水を熱媒によって加熱すれば、その加熱温度は熱媒と同程度に高温度になることから、同様に蒸気化効率が高められ、蒸気化されない温水の排水量を低減することができる。
【００１５】
また、排水溜めからオーバーフローする前に温水を高温化させて第１の熱交換手段に供給することができ、無駄な排水を軽減することができる。
【００１６】
請求項３に係る本発明のスチームサウナ装置は、請求項２のスチームサウナ装置において、前記管路に設置されて前記温水を前記熱媒との熱交換により加熱する熱交換手段を備えたことを特徴とする。
【００１７】
請求項４に係る本発明のスチームサウナ装置は、熱媒の熱を用いて温水を蒸気化するスチームサウナ装置であって、前記熱媒を加熱する第１の熱源機と、上水を温水に加熱する第２の熱源機と、前記第２の熱源機で加熱した温水を溜めるタンクと、前記第１の熱源機で加熱された前記熱媒を循環路により循環させ、前記タンクから管路を通じて供給される温水を前記熱媒との熱交換により加熱し、前記温水を蒸気化する第１の熱交換手段と、前記タンクに溜められた前記温水を前記第１の熱交換手段の外面部に供給する管路に設置され、前記タンクの前記温水を管路に循環させる第２のポンプと、前記タンクに設置されて前記温水を前記熱媒との熱交換により加熱する第４の熱交換手段とを備えたことを特徴とする。このように構成すれば、タンクに一般給湯用の熱交換器からの温水や水道水を溜め、それを高温水を用いて加熱することができるので、蒸気化効率を高めることができる。
【００１８】
請求項５に係る本発明のスチームサウナ装置は、請求項４のスチームサウナ装置において、前記タンクに前記第１の熱交換手段を経て落下する温水を溜めることを特徴とする。このような構成とすれば、前記第１の熱交換手段を経て落下する温水をタンクに溜め、そのタンクに第１の熱交換手段から温水を回収して蒸気化することができる。
【００１９】
請求項６に係る本発明のスチームサウナ装置は、請求項１、２又は４に記載のスチームサウナ装置において、前記第１の熱交換手段を負圧空間に設置したことを特徴とする。このように構成すれば、負圧空間で蒸気化を促進することができる。
【００２０】
また、請求項７に係る本発明のスチームサウナ装置は、請求項１、２又は４に記載のスチームサウナ装置において、前記第１の熱交換手段に供給される前記温水を超音波によって霧化する超音波振動手段（超音波振動子５０）を備えたことを特徴とする。このように構成すれば、熱による蒸気化とともに超音波によって温水を霧化することができる。
【００２１】
【発明の実施の形態】
図１は、本発明のスチームサウナ装置の第１の実施形態を示している。このスチームサウナ装置には、第１の熱源機として床暖房用熱媒の加熱に用いられる給湯器２、第２の熱源機として一般給湯用給湯器４が設置され、給湯器２には熱媒として８０℃程度の高温水ＨＷ、一般給湯用給湯器４には水道水等の上水Ｗで４０℃〜６０℃程度の温水ＬＷが得られる。
【００２２】
給湯器２には、第１の循環路６を通じて第１の熱交換手段、温水ＬＷの加熱手段として蒸気発生用熱交換器８が設置されているとともに、第１の循環路６を分岐した第２の循環路１０を通じて第２の熱交換手段として熱交換器１２が接続され、各熱交換器８、１２は高温水ＨＷの循環によって高温度に加熱される。熱交換器８には、例えば、ステンレススチール、アルミニウム、あるいは銅等の熱伝導率の高い材料からなる複数枚の薄板を構成部材とし、連結部材を用いて高温水ＨＷを通流させ、高温水ＨＷが持つ熱で加熱するようにしたものを用いることができる。
【００２３】
給湯器４には温水供給手段として管路１４が接続され、この管路１４の終端側から温水ＬＷが蒸気発生用熱交換器８のフィン１６に供給される。また、管路１４の途上には、高温水ＨＷで加熱される熱交換器１２が設けられており、供給前の温水ＬＷが高温水ＨＷと同等の高温度に加熱される。
【００２４】
このスチームサウナ装置は、例えば、図２に示すように、筐体１８内に傾斜させて熱交換器８が設置され、その上部側に管路１４が設置され、その下面側には複数の温水噴出口２０が形成されている。熱交換器８の下方背面側には吸気ファン２２が設置されており、この吸気ファン２２が回転すると、筐体１８の前面中間部に形成されている吸気口２４から空気Ａが熱交換器８を通して吸気ファン２２側に導びかれ、蒸気Ｓが筐体１８の前面下部に形成されている蒸気吹出し口２６から放出される。また、熱交換器８の下側には排水溜め２８が設置されており、蒸気化されない温水ＬＷが溜められる。
【００２５】
このようなスチームサウナ装置によれば、給湯器２から高温水ＨＷが循環路６によって熱交換器８に循環し、熱交換器８のフィン１６は高温水ＨＷの温度、例えば、８０℃程度に加熱される。また、給湯器４からの温水ＬＷは、一般給湯に用いられる、４０℃〜６０℃程度の温度の温水であるが、管路１４の通過途上で熱交換器１２により、高温水ＨＷの温度、８０℃程度に加熱される。
【００２６】
このように加熱された温水ＬＷが熱交換器８に滴下ないし供給されると、４０℃〜６０℃程度の温度の温水に比較し、蒸気化が良好になり、蒸気化しないで排水溜め２８に溜められる温水ＬＷの排出量を低減することができる。そして、発生した蒸気Ｓは空気Ａによって吹出し口２６から浴室内に吹き出される。
【００２７】
次に、図３は、本発明のスチームサウナ装置の第２の実施形態を示している。この実施形態のスチームサウナ装置では、第１の実施形態のように供給前の温水ＬＷを加熱する熱交換器１２に代え、排水溜め２８内に第３の熱交換器３０が設置され、この熱交換器３０に第２の循環路１０から高温水ＨＷを循環するようにしたものである。
【００２８】
そして、熱交換器４からの温水ＬＷを蒸気発生用熱交換器８のフィン１６側に供給する第１の温水供給手段としての管路１４とは別に、排水溜め２８の温水ＬＷを熱交換器８の上部側に導びいて供給するための第２の温水供給手段としての管路３２とともに、ポンプ３４が設けられている。ポンプ３４には、その運転を制御する手段として制御部３６が設けられ、また、排水溜め２８には、温水ＬＷが所定レベル、例えば、オーバーフローレベルに到達しているか否かを検出する手段としてレベルセンサ３８が設置され、このレベルセンサ３８の検出出力が制御入力として制御部３６に加えられている。
【００２９】
また、この実施形態においても、同様に、給湯器２には熱媒として８０℃程度の高温水ＨＷ、一般給湯用給湯器４には水道水等の上水Ｗで４０℃〜６０℃程度の温水ＬＷが得られる。
【００３０】
このようなスチームサウナ装置によれば、給湯器２から高温水ＨＷが循環路６によって熱交換器８に循環し、熱交換器８のフィン１６は高温水ＨＷの温度、例えば、８０℃程度に加熱され、また、給湯器４からの温水ＬＷは、管路１４を通して熱交換器８に供給され、蒸気Ｓに変換される一方、熱交換器８のフィン１６を伝って排水溜め２８に溜められる。
【００３１】
この排水溜め２８の温水レベルはレベルセンサ３８で検出され、その検出出力は制御部３６の制御入力に加えられ、ポンプ３４の運転制御に用いられる。
【００３２】
制御部３６では、例えば、図４のフローチャートに示すように、ステップＳ１では、レベルセンサ３８の検出出力を受けて排水溜め２８の温水レベルがオーバーフローレベルにあるか否かを判定し、オーバーフローレベルに到達したとき、ステップＳ２に移行し、ポンプ３４を運転する。このとき、排水溜め２８で熱交換器３０により加熱されている温水ＬＷは、管路３２を通じて熱交換器８に供給される。
【００３３】
このポンプ３４の運転途上、ステップＳ３では、排水溜め２８の温水レベルがオーバーフローレベルにあるか否かを判定し、オーバーフローレベルを下回ったとき、ステップＳ４に移行し、ポンプ運転を停止した後、ステップＳ１に戻る。
【００３４】
このようにして排水溜め２８に溜められた温水ＬＷを高温水ＨＷの熱によって加熱するとともに、温水レベルがオーバーフローレベルに移行したとき、その温水ＬＷを熱交換器８に供給することができ、排水量を低減することができる。
【００３５】
次に、図５は、本発明のスチームサウナ装置の第３の実施形態を示している。この実施形態のスチームサウナ装置では、第１の実施形態における管路１４を通過する温水ＬＷを第２の熱交換手段である熱交換器１２を用いて高温水ＨＷが持つ熱で加熱するとともに、第２の実施形態と同様に排水溜め２８の温水ＬＷを第３の熱交換手段である熱交換器３０を用いて高温水ＨＷが持つ熱で加熱し、その温水レベルがオーバーフローレベルに到達したときポンプ３４を運転し、熱交換器８に高温化した温水を供給するようにしたものである。
【００３６】
このように、熱交換器４側の温水ＬＷを供給前に高温化し、排水溜め２８に溜められた温水ＬＷを高温水ＨＷが持つ熱で再加熱して供給すれば、蒸気化効率を高めることができるとともに、無駄な排水を低減することができる。
【００３７】
次に、図６は、本発明のスチームサウナ装置の第４の実施形態を示している。この実施形態のスチームサウナ装置では、熱交換器４から管路１４を通じて供給される温水ＬＷを溜めるタンク４０が設置され、このタンク４０にはその温水ＬＷを加熱する熱交換手段として熱交換器４２が設置されている。この熱交換器４２には循環路１０によって給湯器２からの高温水ＨＷを循環させることにより、高温化することができる。そして、温水供給手段としての管路４４及びポンプ４６が設置され、タンク４０に溜められた温水ＬＷがポンプ４６の運転により管路４４を通じて熱交換器８のフィン１６に導びかれて供給され、蒸気化される。
【００３８】
このような構成によれば、給湯器４の給湯開始時の低温度の温水ＬＷが供給されても、タンク４０で高温水ＨＷによって再加熱することができ、蒸気化の促進を図ることができ、蒸気化効率を高めることができる。この場合、タンク４０には、給湯器４を用いることなく、水道水等の未加熱の上水Ｗを供給するようにしてもよく、設備の簡略化を図ることができる。
【００３９】
このスチームサウナ装置においても、図５に示す実施形態と同様に、レベルセンサ３８、制御部３６、管路３２及びポンプ３４を備えて、排水溜め２８に溜められた排水量がオーバーフローレベルに到達したとき、制御部３６によってポンプ３４を駆動して管路３２を通じて熱交換器８に供給するようにしてもよい。
【００４０】
また、タンク４０にも、図５に示す実施形態と同様に、レベルセンサ、制御部等を備えて、タンク４０に溜められた温水量のレベルに応じて給湯器４からの温水供給を制御するようにしてもよく、このようにすれば、タンク４０からのオーバーフローを防止することができる。
【００４１】
また、図７の第５の実施形態に示すように、排水溜め２８とタンク４０とを一体化又は排水溜め２８を省略して排水溜めを兼用するタンク４０を備え、熱交換器８からの温水ＬＷをタンク４０に導びいて溜め、それを加熱して再利用してもよい。この場合も、レベルセンサを設けて排水量のレベルに応じて給湯器４からの温水供給を制御するようにすれば、タンク４０からのオーバーフローを防止することができる。
【００４２】
次に、図８は、本発明のスチームサウナ装置の第６の実施形態を示している。このスチームサウナ装置では、熱交換器８を閉空間４８に設置し、この閉空間４８を図示しない吸気手段を用いて内部の空気を矢印Ｂに示すように排出し、閉空間４８内を負圧空間化してもよい。このようにすれば、供給された温水ＬＷの蒸気化を促進することができ、蒸気化効率の向上とともに、排水量を低減することができる。なお、この実施形態のスチームサウナ装置においても、図１、図３、図５、図６、図７に示したように、排水溜め２８又はタンク４０の温水ＬＷを加熱して再利用するように構成してもよい。
【００４３】
次に、図９は、本発明のスチームサウナ装置の第７の実施形態を示している。このスチームサウナ装置では、熱交換器８に隣接して超音波振動子５０が設置され、熱交換器８に供給される温水ＬＷを超音波振動子５０で受け、この超音波振動子５０を駆動部５２によって駆動すれば、温水ＬＷを超音波によって霧化することができ、蒸気化を促進することができる。なお、この実施形態のスチームサウナ装置においても、図１、図３、図５、図６、図７に示したように、排水溜め２８又はタンク４０の温水ＬＷを加熱して再利用するように構成してもよい。
【００４４】
次に、図１０は、本発明のスチームサウナ装置の第８の実施形態を示している。第１〜第７の実施形態では、加熱手段として熱交換器８を設置したが、この実施形態では、熱源５４からの熱エネルギによって加熱される加熱手段として加熱部材５６が設置されている。熱源５４には、ガスや灯油等の燃焼熱の他、電熱等のジュール熱源を用いることができる。そして、加熱部材５６には、水の供給手段として管路１４を通じて水Ｗが供給され、この水Ｗを加熱するヒータ等の加熱手段５８が設置されている。加熱手段５８に接続された熱源６０には、電熱等のジュール熱源を用いることができる。このような構成によれば、加熱部材５６に供給される水Ｗが加熱手段５８によって加熱され、高温水ＨＷが加熱部材５６に供給されるので、蒸気化が促進され、蒸気化されないで落下する排水溜め２８への排水量を低減することができる。
【００４５】
次に、図１１は、本発明のスチームサウナ装置の第９の実施形態を示している。この実施形態のスチームサウナ装置では、蒸気化されない水Ｗを溜める排水溜め２８内に加熱手段として加熱部材６２が設置され、この加熱部材６２に熱源６４から熱エネルギを供給して排水溜め２８内の水Ｗを加熱して高温水ＨＷにしている。加熱部材６２に接続された熱源６４には電熱等のジュール熱源を用いることができる。そして、この高温水ＨＷは、図３及び図４のフローチャートに示したように、排水溜め２８中の高温水ＨＷのレベルに応じて加熱部材５６への供給を制御するようにしてもよい。このような構成によれば、排水溜め２８に溜められた水Ｗが加熱部材６２によって加熱され、その高温水ＨＷが加熱部材５６に供給されるので、落下する排水溜め２８への排水量を低減することができるとともに、その再利用を図ることができ、蒸気化効率を高めることができる。
【００４６】
【発明の効果】
以上説明したように、本発明によれば、次の効果が得られる。
ａ  加熱部材で蒸気化すべき水又は温水を高温水に加熱するので、蒸気化を促進させることができるとともに、蒸気化効率を高め、排水量を低減することができる。
ｂ  排水溜めに溜められた水を再加熱して蒸気化するので、無駄な排水を低減できるとともに、蒸気化効率を高めることができる。
ｃ  高温水によって高温化された熱交換手段に対して高温水の熱で加熱された温水を供給することができるので、蒸気化効率を高めることができるとともに、排水量の低減を図ることができる。
ｄ  負圧空間に熱交換手段を設置して温水を供給すれば、温水の蒸気化を促進することができ、蒸気化効率を高めることができる。
ｅ  温水を超音波によって霧化すれば、温水の蒸気化を促進することができ、蒸気化効率を高めることができる。
【図面の簡単な説明】
【図１】本発明のスチームサウナ装置の第１の実施形態を示す図である。
【図２】本発明のスチームサウナ装置の第１の実施形態の具体的な実施例を示す図である。
【図３】本発明のスチームサウナ装置の第２の実施形態を示す図である。
【図４】ポンプの運転制御を示すフローチャートである。
【図５】本発明のスチームサウナ装置の第３の実施形態を示す図である。
【図６】本発明のスチームサウナ装置の第４の実施形態を示す図である。
【図７】本発明のスチームサウナ装置の第５の実施形態を示す図である。
【図８】本発明のスチームサウナ装置の第６の実施形態を示す図である。
【図９】本発明のスチームサウナ装置の第７の実施形態を示す図である。
【図１０】本発明のスチームサウナ装置の第８の実施形態を示す図である。
【図１１】本発明のスチームサウナ装置の第９の実施形態を示す図である。
【図１２】従来のスチームサウナ装置を示す図である。
【符号の説明】
２  給湯器（熱源機）
６、１０  循環路
８  熱交換器（第１の熱交換手段、加熱部材）
１２、３０、４２  熱交換器（第２の熱交換手段）
１４、３２、４４  管路（供給手段）
２８  排水溜め
３４、４６  ポンプ（供給手段）
３６  制御部（制御手段）
３８  レベルセンサ（レベル検出手段）
４０  タンク
４８  閉空間（負圧空間）
５０  超音波振動子（超音波振動手段）
５６  加熱部材
５８  加熱手段
６２  加熱部材（加熱手段）
ＬＷ  温水
ＨＷ  高温水
Ｓ  蒸気
【図１】
0003958620.tif 000002
【図２】
0003958620.tif 000003
【図３】
0003958620.tif 000004
【図４】
0003958620.tif 000005
【図５】
0003958620.tif 000006
【図６】
0003958620.tif 000007
【図７】
0003958620.tif 000008
【図８】
0003958620.tif 000009
【図９】
0003958620.tif 000010
【図１０】
0003958620.tif 000011
【図１１】
0003958620.tif 000012
【図１２】
0003958620.tif 000013